(57)【要約】【課題】無線基地局の場所情報の作成を容易にする。【解決手段】ＡＰ（無線基地局）場所情報作成装置１０は、端末装置がＡＰに接続した接続日時を、ＡＰの識別情報と対応付けて示した移動履歴情報１３１と、この端末装置の居た場所ごとに、その場所に居た期間を示したスケジュール情報１３２とを用いて、移動履歴情報１３１に示されるＡＰそれぞれへの接続日時が、スケジュール情報１３２に示されるどの場所に居た期間に含まれるかを判断する。そして、そのＡＰの接続日時において端末装置が居た場所を、ＡＰの識別情報と対応付けてＡＰ場所情報１３３に登録する。【選択図】図２
2010124222.tif 000002
【特許請求の範囲】
【請求項１】
１以上の無線基地局の設置場所を示した無線基地局の場所情報の作成装置であって、
端末装置が無線通信により接続した前記無線基地局の識別情報と、この無線基地局への接続日時とを対応付けて示した接続情報と、当該端末装置の居た場所ごとに、その場所に居た期間を示したスケジュール情報との入力を受け付け、記憶部に記憶する情報入力部と、
前記接続情報および前記スケジュール情報を記憶する前記記憶部と、
前記接続情報に示される各無線基地局への接続日時が、前記スケジュール情報に示される、どの場所に居た期間に含まれるかを判断し、その判断結果をもとに、前記接続日時が含まれる期間において前記端末装置が居た場所と、前記無線基地局の識別情報とを対応付けて示した前記無線基地局の場所情報を作成する場所情報作成処理部とを備えることを特徴とする無線基地局の場所情報の作成装置。
【請求項２】
前記スケジュール情報に示される場所は、場所名、住所、地図サイトへのリンクＵＲＬ（Uniform Resource Locator）および緯度経度情報のいずれかまたはこれらの組み合わせにより記述されることを特徴とする請求項１に記載の無線基地局の場所情報の作成装置。
【請求項３】
前記無線基地局は、Wi-Fi（Wireless Fidelity）（登録商標）またはBluetooth（登録商標）の基地局であることを特徴とする請求項１または請求項２に記載の無線基地局の場所情報の作成装置。
【請求項４】
１以上の無線基地局の設置場所を示した無線基地局の場所情報の作成装置が、
端末装置が無線通信により接続した前記無線基地局の識別情報と、この無線基地局への接続日時とを対応付けて示した接続情報と、当該端末装置の居た場所ごとに、その場所に居た期間を示したスケジュール情報との入力を受け付け、記憶部に記憶するステップと、
前記接続情報に示される各無線基地局への接続日時が、前記スケジュール情報に示される、どの場所に居た期間に含まれるかを判断するステップと、
前記判断結果をもとに、前記接続日時が含まれる期間において前記端末装置が居た場所と、前記無線基地局の識別情報とを対応付けて示した前記無線基地局の場所情報を作成するステップとを実行することを特徴とする無線基地局の場所情報の作成方法。
【請求項５】
請求項４に記載の無線基地局の場所情報の作成方法を、コンピュータである前記無線基地局の場所情報の作成装置に実行させるためのプログラム。
【発明の詳細な説明】
【技術分野】
【０００１】
本発明は、無線基地局の場所情報の作成技術に関する。
【背景技術】
【０００２】
従来から、無線基地局を利用した情報サービスがある。このような情報サービスを提供するためには、その無線基地局（ＡＰ、アクセスポイント）の場所を把握しておく必要がある。しかし、このような無線基地局の場所は、通常、無線通信サービスの事業者が把握しており、その情報を一般の利用者が入手することは困難である。このようなＡＰの位置の推定技術として、非特許文献１には、移動端末装置等により受信したＡＰからの受信信号の強度値を用いて、ＡＰの場所を推定する技術が開示されている。
【非特許文献１】暦本純一他、「PlaceEngine:実世界集合知に基づくWiFi位置情報基盤」、 インターネットコンファレンス2006、pp.95−104、2006、[online]、[平成20年10月14日検索]、インターネット、<URL: http://www.placeengine.com/show/papers>
【発明の開示】
【発明が解決しようとする課題】
【０００３】
しかし、非特許文献１に記載の技術により、ＡＰの場所を推定するためには、ＡＰからの受信信号の強度を用いて複雑な計算処理を行う必要がある。また、１つのＡＰの場所の推定を行うためには、複数個所（例えば、３箇所以上）の受信信号の強度値が必要であり、その信号を受信したときのアンテナの方向等についても考慮する必要がある。本発明は、このような問題を解決し、無線基地局の場所の推定を容易に行うことを目的とする。
【課題を解決するための手段】
【０００４】
前記した課題を解決するため、請求項１に記載の発明は、１以上の無線基地局の設置場所を示した無線基地局の場所情報の作成装置であって、端末装置が無線通信により接続した無線基地局の識別情報と、この無線基地局への接続日時とを対応付けて示した接続情報と、当該端末装置の居た場所ごとに、その場所に居た期間を示したスケジュール情報との入力を受け付け、記憶部に記憶する情報入力部と、接続情報およびスケジュール情報を記憶する記憶部と、接続情報に示される各無線基地局への接続日時が、スケジュール情報に示される、どの場所に居た期間に含まれるかを判断し、その判断結果をもとに、接続日時が含まれる期間において端末装置が居た場所と、無線基地局の識別情報とを対応付けて示した無線基地局の場所情報を作成する場所情報作成処理部とを備えることを特徴とする。
【０００５】
また、請求項５に記載の発明は、１以上の無線基地局の設置場所を示した無線基地局の場所情報の作成装置が、端末装置が無線通信により接続した無線基地局の識別情報と、この無線基地局への接続日時とを対応付けて示した接続情報と、当該端末装置の居た場所ごとに、その場所に居た期間を示したスケジュール情報との入力を受け付け、記憶部に記憶するステップと、接続情報に示される各無線基地局への接続日時が、スケジュール情報に示される、どの場所に居た期間に含まれるかを判断するステップと、判断結果をもとに、接続日時が含まれる期間において端末装置が居た場所と、無線基地局の識別情報とを対応付けて示した無線基地局の場所情報を作成するステップとを実行することを特徴とする無線基地局の場所情報の作成方法とした。
【０００６】
このようにすることで、無線基地局の場所情報の作成装置（以下、場所情報作成装置と略す）は、端末装置の利用者等のスケジュール情報に示される各場所に居た期間と、この端末装置の各無線基地局への接続日時とにより、その端末装置が当該無線基地局に接続したとき、どの場所に居たのかを推定できる。つまり、場所情報作成装置は、当該無線基地局への接続日時に、その端末装置の利用者のいた場所が、その無線基地局のある場所と推定できる。よって、複雑な計算処理を行わなくても無線基地局の場所を推定でき、無線基地局の場所情報を作成できる。
【０００７】
請求項２に記載の発明は、請求項１に記載の無線基地局の場所情報の作成装置において、スケジュール情報に示される場所が、場所名、住所、地図サイトへのリンクＵＲＬ（Uniform Resource Locator）および緯度経度情報のいずれかまたはこれらの組み合わせにより記述されることを特徴とする。
【０００８】
このようにすることで、無線基地局の場所情報作成装置は、無線基地局の場所を、場所名、住所、地図サイト上に示される位置および緯度経度情報のいずれかまたはこれらの組み合わせにより特定することができる。
【０００９】
請求項３に記載の発明は、請求項１または請求項２に記載の無線基地局の場所情報の作成装置における前記無線基地局が、Wi-Fi（Wireless Fidelity）（登録商標）またはBluetooth（登録商標）の基地局であることを特徴とする。
【００１０】
このようにすることで、無線基地局の場所情報の作成装置は、Wi-Fi（登録商標）またはBluetooth（登録商標）の基地局の場所を容易に推定することができる。
【００１１】
請求項５に記載の発明は、請求項４に記載の無線基地局の場所情報の作成方法を、コンピュータである前記無線基地局の場所情報の作成装置に実行させるためのプログラムである。
【００１２】
このようなプログラムによれば、一般的なコンピュータに請求項４に記載の無線基地局の場所情報の作成方法を実行させることができる。
【発明の効果】
【００１３】
本発明によれば、無線基地局の場所の推定を容易にすることができる。
【発明を実施するための最良の形態】
【００１４】
以下、本発明を実施するための最良の形態（以下、実施の形態という）について説明する。まず、図１を用いて、本実施の形態の無線基地局の場所情報作成装置の処理概要を説明する。図１は、本実施の形態の無線基地局の場所情報作成装置の処理概要を概念的に説明した図である。なお、本実施の形態において、無線基地局は、例えば、Wi-Fi（登録商標）やBluetooth（登録商標）による端末装置との通信機能を備えた無線基地局（以下、ＡＰ（アクセスポイント）と略す）である。また、端末装置は、このＡＰとの通信機能（つまり、Wi-Fi（登録商標）やBluetooth（登録商標）による通信機能）を備えた、ＰＣ（Personal Computer）や携帯電話機である。
【００１５】
ＡＰの場所情報の作成装置（以下、ＡＰ場所情報作成装置と略す）は、端末装置の移動履歴情報１３１と、この端末装置の利用者のスケジュール情報１３２の入力を受け付ける。この移動履歴情報１３１は、その端末装置が接続したＡＰ（アクセスポイント）の識別情報と、そのＡＰへの接続日時とを示した接続情報（ＡＰ情報）の集合である。このＡＰ情報に示される接続日時は、端末装置とＡＰとが実際に通信を行った日時以外に、このＡＰと通信可能な状態になった日時も含んでよい。また、スケジュール情報１３２は、この端末装置の利用者が、いつからいつまでどの場所にいたかを示した情報である。また、移動履歴情報１３１のＡＰ情報は、例えば、この端末装置の備えるＡＰ情報取得プログラム等により取得される。
【００１６】
ＡＰ場所情報作成装置は、移動履歴情報１３１に示される各ＡＰ情報を参照して、各ＡＰへの接続日時おいて、その端末装置の利用者がどの場所にいたかをスケジュール情報１３２を参照して判断する。例えば、移動履歴情報１３１のＡＰ「ＡＡ」の接続日時「2008.11.10.10：00」は、スケジュール情報１３２における場所「ＸＸ」に居た期間（つまり、開始日時「2008.11.10.9：30」から終了日時「2008.11.10.10：20」までの期間）に含まれる。よって、この接続日時「2008.11.10.10：00」において、端末装置は場所「ＸＸ」に居たと推定できるので、ＡＰ場所情報作成装置は、ＡＰ「ＡＡ」の場所は「ＸＸ」であると推定する。ＡＰ場所情報作成装置は、このような処理をＡＰ「ＢＢ」および「ＣＣ」についても実行することで、このＡＰ「ＢＢ」および「ＣＣ」の場所をそれぞれ「ＹＹ」および「ＺＺ」と推定できる。そして、ＡＰ場所情報作成装置は、その推定結果をＡＰ場所情報１３３に登録する。このようにすることで、ＡＰ場所情報作成装置は、ＡＰ場所情報１３３を作成できる。
【００１７】
次に、図２を用いて、このようなＡＰ場所情報作成装置の構成を説明する。図２は、本実施の形態の無線基地局の場所作成装置（ＡＰ場所情報作成装置）の構成を示した図である。なお、このＡＰ場所情報作成装置は、端末装置とネットワーク接続された別の装置であってもよいし、端末装置自身であってもよい。ＡＰ場所情報作成装置が、端末装置とは別の装置である場合、ＡＰ情報や、スケジュール情報１３２について、各情報に付された端末装置の識別情報をもとに、それぞれがどの端末装置に関する情報か識別するようにする。
【００１８】
図２に示すように、このＡＰ場所情報作成装置１０の機能は、大きく、入出力部１１、処理部１２および記憶部１３に分けられる。入出力部１１は、外部装置から、ＡＰ情報等の移動履歴情報１３１のもととなる情報や、スケジュール情報１３２、ＡＰ場所情報検索要求等の入力を受け付ける。処理部１２は、このＡＰ場所情報作成装置１０全体の制御を司り、主に、移動履歴情報１３１およびスケジュール情報１３２を参照して、ＡＰの場所を推定し、ＡＰ場所情報１３３を作成する。
【００１９】
入出力部１１は、入出力インタフェースから構成される。また、処理部１２は、このＡＰ場所情報作成装置１０が備えるＣＰＵ（Central Processing Unit）によるプログラム実行処理や、専用回路等により実現される。さらに、記憶部１３は、ＲＡＭ（Random Access Memory）、ＲＯＭ（Read Only Memory）、ＨＤＤ（Hard Disk Drive）、フラッシュメモリ等の記憶媒体から構成される。なお、ＡＰ場所情報作成装置１０をプログラム実行処理により実現する場合、記憶部１３には、このＡＰ場所情報作成装置１０の機能を実現するためのプログラムが格納される。
【００２０】
処理部１２は、情報入力部１２１と、場所情報作成部１２２と、検索部１２３とを備える。
【００２１】
情報入力部１２１は、入出力部１１経由で入力されたＡＰ情報を移動履歴情報１３１に登録する。また、入出力部１１経由で入力された端末装置の利用者のスケジュール情報１３２を記憶部１３に出力する。
【００２２】
場所情報作成部１２２は、移動履歴情報１３１に示される各ＡＰへの接続日時が、スケジュール情報１３２に示される、どの場所に居た期間に含まれるかを判断する。そして、場所情報作成部１２２は、その判断結果をもとに、この接続日時が含まれる期間において端末装置の居た場所と、その接続日時において、この端末装置が接続していたＡＰの識別情報とを対応付けた情報をＡＰ場所情報１３３に登録する。
【００２３】
検索部１２３は、入出力部１１経由で、ＡＰ場所情報１３３の検索要求を受け付けたとき、その検索要求に基づきＡＰ場所情報１３３の情報を検索する。例えば、検索部１２３は、ＡＰ「ＡＡ」に関する場所情報の検索要求を受け付けたとき、これに応じてＡＰ場所情報１３３から、このＡＰ「ＡＡ」の場所「ＸＸ」を検索する。そして、その検索結果を、入出力１１経由で出力する。
【００２４】
記憶部１３は、移動履歴情報１３１と、スケジュール情報１３２と、ＡＰ場所情報１３３とを記憶する。この移動履歴情報１３１は、前記したとおり、端末装置がＡＰに接続した接続日時を、この接続したＡＰの識別情報と対応付けて示した情報である。なお、このＡＰの識別情報は、ＡＰがWi-Fi（登録商標）の基地局であれば、ＢＳＳＩＤ（Basic Service Set Identifier）、つまり、そのＡＰを構成する装置のＭＡＣ（Media Access Control）アドレスである。また、ＡＰがBluetooth（登録商標）であれば、ＡＰの識別情報は、ＭＡＣアドレスである。スケジュール情報１３２は、端末装置のユーザの居た場所ごとに、その場所に居た期間（開始時刻および終了時刻）を示した情報である。このスケジュール情報１３２は、例えば、この端末装置の利用者のスケジュールソフト等により作成された情報を用いる。このスケジュール情報１３２は、その利用者が実際にとった行動どおりの内容であることが好ましいが、必ずしもその利用者のとった行動どおりの内容でなくてもよい。また、このスケジュール情報１３２に示される場所は、例えば、場所名（地名）、住所、地図サイトへのリンクＵＲＬおよび緯度経度情報のいずれかまたはこれらの組み合わせにより記述される。
【００２５】
次に、図２を参照しつつ、図３を用いて、ＡＰ場所情報作成装置１０の処理手順を説明する。図３は、本実施の形態の無線基地局の場所作成装置（ＡＰ場所情報作成装置）の処理手順を示した図である。まず、ＡＰ場所情報作成装置１０の情報入力部１２１は、入出力部１１経由で、スケジュール情報１３２の入力を受け付ける（Ｓ１１）。そして、情報入力部１２１は、受け付けたスケジュール情報１３２を記憶部１３に記憶する。
【００２６】
また、情報入力部１２１は、端末装置のＡＰ情報の入力を受け付けると（Ｓ１２）、このＡＰ情報を、順次、移動履歴情報１３１に登録する（Ｓ１３）。
【００２７】
次に、場所情報作成部１２２は、入出力部１１等から、ＡＰ場所情報１３３の作成指示の入力を受け付けたことをトリガとして、ＡＰそれぞれについて、各ＡＰへの接続日時が、スケジュール情報１３２に示される、どの場所に居た期間に含まれるかを判断する（Ｓ１４）。そして、場所情報作成部１２２は、その判断結果をもとに、その接続日時において端末装置が接続していたＡＰと、その端末装置が居た場所の場所情報（つまり、スケジュール情報１３２上で、そのＡＰへの接続日時にその端末装置が居た場所の場所情報）とを対応付けてＡＰ場所情報１３３に登録する（Ｓ１５）。
【００２８】
このようにＡＰ場所情報作成装置１０は、端末装置の利用者のスケジュール情報１３２と、この端末装置の移動履歴情報１３１とを用いることで、各ＡＰの場所（設置場所）を容易に推定し、ＡＰ場所情報１３３を作成することができる。
【００２９】
そして、このＡＰ場所情報１３３が作成された後、ＡＰ場所情報作成装置１０の検索部１２３は、このＡＰの場所の検索要求を受信すると、ＡＰ場所情報１３３から、この検索要求に示されるＡＰの場所を検索する。そして、その検索結果を入出力部１１経由で出力する。例えば、検索部１２３が、図１に例示したＡＰ場所情報１３３から、ＡＰ「ＡＡ」の場所（設置場所）として「ＸＸ」を検索する。そして、この検索結果を入出力部１１経由で、この検索要求の送信元へ出力する。
【００３０】
このようにして作成されたＡＰ場所情報１３３を利用することで、例えば、利用者のスケジュール情報等がなくても、この利用者の携帯電話機や携帯端末等の端末装置が接続したＡＰの識別情報等から、その利用者の居た場所の推定を容易に行うことができる。また、その利用者が端末装置を用いてブログの投稿や、画像等の撮影を行ったとき、そのブログの投稿日時や撮影日時から、その投稿内容や画像と、その投稿や画像の撮影を行った場所とを関連付けることもできる。つまり、その投稿や画像等の撮影がどこで行われたかが分からなくても、ブログの投稿日時や撮影日時から、その投稿や画像等の撮影がどこで行われたかを推定できる。そして、例えば、投稿や画像等の関連付けを行うサーバ等が、ブログや写真投稿サイトのサーバから、端末装置の利用者のブログ投稿や画像撮影日時に関する情報をＲＳＳ（Rich Site Summary）やＡＴＯＭ等のフィードにより取得し、この取得したフィードと、ＡＰ場所情報１３３とを参照して、端末装置の利用者が同じ場所における行動（ブログの投稿や画像の投稿）を一連の行動として関連付けることができる。
【００３１】
本実施の形態に係るＡＰ場所情報作成装置１０は、前記したような処理を実行させるプログラムによって実現することができ、そのプログラムをコンピュータによる読み取り可能な記録媒体（ＣＤ−ＲＯＭ等）に記憶して提供することが可能である。
【図面の簡単な説明】
【００３２】
【図１】本実施の形態の無線基地局の場所情報作成装置の処理概要を概念的に説明した図である。
【図２】本実施の形態の無線基地局の場所作成装置（ＡＰ場所情報作成装置）の構成を示した図である。
【図３】本実施の形態の無線基地局の場所作成装置（ＡＰ場所情報作成装置）の処理手順を示したフローチャートである。
【符号の説明】
【００３３】
１０    ＡＰ場所情報作成装置（無線基地局の場所情報の作成装置）
１１    入出力部
１２    処理部
１３    記憶部
１２１  情報入力部
１２２  場所情報作成部
１２３  検索部
１３１  移動履歴情報（接続情報）
１３２  スケジュール情報
１３３  ＡＰ場所情報
【図１】
2010124222.tif 000003
【図２】
2010124222.tif 000004
【図３】
2010124222.tif 000005